(57)【要約】  本発明の主題は、フラッシュライトのような携帯照明装置のための後部蓋に関する。前記後部蓋は、後部蓋をフラッシュライト上に固定すると共に、フラッシュライト及びその種々の照明モードを活性化又は不活性化させるスイッチを有効又は無効にするロック機構を含む。本発明の多目的ロック機構を有する後部蓋は、使用者が迅速に電池を交換することを可能にし、後部蓋が再挿入された後にスイッチと接触ピンが正しい位置に戻ることを可能にする。後部蓋と主筐体の間のＯ字型リングガスケットと磁気スイッチの組み合わされた使用は、完全な防水を確実にする。後部蓋の後方壁上に位置するスイッチバー又は二重プッシュボタンスイッチのいずれかから構成される両利きのスイッチは、フラッシュライトが拳銃のような銃器上に搭載されたときでさえ、両利きの使用を可能にする。銃器においては、通常、用心金がフラッシュライトの後面上に搭載されたスイッチの動作を妨げるであろう。
2009535771.tif 000002
【特許請求の範囲】
【請求項１】
電力源に接続されるように適応された電動装置であって、
蓋を受け取るように適応された筐体と、
前記筐体に取り外し可能に搭載されるように適応された前記蓋と、
前記蓋を前記筐体に搭載するための差し込み搭載機構であって、前記差し込み搭載機構はオス部分とメス部分を備えており、前記オス部分と前記メス部分は、それぞれ互いに結合しかつ回転可能に係合するように適応されており、前記差し込み搭載機構の前記オス部分と前記メス部分のうちの一つが前記蓋上に設けられ、他の一つが前記筐体上に設けられた、差し込み搭載機構
を備えた電動装置。
【請求項２】
前記電動装置が、光源を受け入れるように適応された照明装置である、請求項１に記載の電動装置。
【請求項３】
前記電力源が少なくとも一つの電池のような電気エネルギー貯蔵装置であり、前記電動装置の筐体が前記電気エネルギー貯蔵装置を受け入れるように適応されている、請求項１に記載の電動装置。
【請求項４】
後部蓋が前記筐体の方にしっかりと保持されることを引き起こすために必要な、前記差し込み搭載機構の前記オス部分の、前記差し込み搭載機構の前記メス部分との十分な回転係合後に、前記電動装置が動作可能でない位置と前記電動装置が動作可能である位置の間において、前記蓋が前記筐体に対して選択的に移動可能である一方、前記蓋が全ての時点において筐体の方にしっかりと固定されたままである、請求項１に記載の電動装置。
【請求項５】
前記差し込み搭載機構の前記オス部分が実質的に円筒形の部材を備えており、前記実質的に円筒形の部材はその外側の側壁上に設けられた複数の突起を特徴とし、
前記差し込み搭載機構のメス部分が、前記オス部材上の多数の突起に対応する複数のスロットを特徴とする実質的に円形のリングを備えており、前記実質的に円形のリングは前記オス部分上に設けられた前記突起と結合し、かつ回転係合するように適応されている、請求項１に記載の電動装置。
【請求項６】
前記突起が前記差し込み搭載機構の前記メス部分に向かって面する前面を有し、後面が前記メス部分から離れて面し、前記突起の前記後面の少なくとも一部が斜面を形成する、請求項５に記載の電動装置。
【請求項７】
前記筐体が回路基板を受け入れるように適応された内部区画を特徴とし、前記内部区画と前記回路基板には、それぞれ前記回路基板を前記内部区画内に適切に位置付けるための補完的登録手段が設けられている、請求項１に記載の電動装置。
【請求項８】
電動装置の筐体と嵌合する（mate with）ように適応された電動装置の蓋であって、
それぞれ互いに嵌合し回転係合するように適応されたオス部分とメス部分を有する差し込み搭載機構の一部を備えている、蓋。
【請求項９】
プラグを受け入れるように適応された内部空洞が設けられている、請求項８に記載の蓋。
【請求項１０】
導電性材料から作られ、プラグの空洞内に位置し、かつ前記電動装置の主軸に沿ってプラグの外側の前面を越えて前記電動装置の筐体に向かって伸びるバネ要素をさらに備えている、請求項９に記載の蓋。
【請求項１１】
前記プラグの外形に沿って位置する複数の格納式の電気接触プラグをさらに備えている、請求項１０に記載の蓋。
【請求項１２】
少なくとも一つの電気的スイッチをさらに備えている、請求項８に記載の蓋。
【請求項１３】
前記電気的スイッチが少なくとも一つの磁石に機械的に結合された両利きのスイッチ差動装置を特徴とし、前記磁石が前記プラグ内に包含される磁気スイッチの一部を形成する、請求項１２に記載の蓋。
【請求項１４】
筐体を有し、蓋を受け入れるように適応されている電動装置であって、前記蓋と筐体にはそれぞれ戻り止め機構の一部が設けられており、前記戻り止め機構が、
少なくともその一部が格納式要素から構成された伸長された部材を備えたオス部分と、
少なくとも一つの窪みを備えたメス部分
を備えている、電動装置。
【請求項１５】
前記少なくとも一つの窪みが前記戻り止め機構の突起の前面上に設けられている、請求項１４に記載の戻り止め機構。
【請求項１６】
プラグの一部の周りに位置する「Ｏ字型」リングガスケットをさらに備えている、請求項９に記載の蓋。
【請求項１７】
前記プラグ内に位置する空洞がスイッチの構成要素を受け入れるように適応されている、請求項９に記載の蓋。
【請求項１８】
前記スイッチが磁気スイッチである、請求項１７に記載の蓋。
【請求項１９】
前記回路基板が固定電気接触板を備えている、請求項７に記載の電動装置。
【請求項２０】
電動装置を動作可能である状態又は動作可能でない状態にするための機構であって、前記電動装置が蓋と前記蓋を受け入れるように適応された筐体を備えており、前記蓋には電気的接触プラグが設けられており、前記筐体には電気的接触板が設けられており、前記蓋は、前記電気的接触プラグが前記電気的接触板に接触する動作可能位置と、前記電気的接触プラグが前記電気的接触板に接触しない非動作可能位置との間において前記筐体に対して選択的に移動可能である、機構。
【発明の詳細な説明】
【技術分野】
【０００１】
本明細書において提示される主題は、照明装置に関する。より具体的には、本明細書において提示される主題は、フラッシュのような携帯照明装置に関する。
【背景技術】
【０００２】
フラッシュライトを含むさまざまなサイズと形の照明装置は、照明技術において知られている。従来は、フラッシュは電気エネルギーをそれらの源として、一つ以上の乾電池バッテリー、つまりフラッシュの為にハンドルとして供給される連続的な通常の円筒形チューブ、を利用します。そのバッテリーが定電流充電器によって充電されるフラッシュライトもまた同様に周知している。一般的に、電気回路は切替え装置とコンダクターを通り、同時に光源の電極へとコンダクターを通る電流、例えば電球のような、電極から確立される。電球のフィラメントを通り抜けた後に、電気回路はコンダクターによるフラッシュライト筐体において電気接触となるかもしれない。フラッシュライト筐体は電気コンダクターの為に電気伝導経路として利用されるかもしれない。通常は、バッテリーの他の電極と接触した起動要素である。あるいは、電気回路はフラッシュライトハウジングから全く絶縁されるかもしれない。変換装置の動作は、電気回路がフィラメントを通過することを可能にする電気回路を完了する。その結果、反射体やレンズ集合によって、もしくは光線を形成するためのコリメーターによって典型的に集中させられる。
【０００３】
とりわけ、火災・救出・軍隊といった法律の施行において雇用される人材によって利用されるフラッシュライトは、頑丈であり、信頼性が高く、用意に操作可能で、また緊急事態で業務的かつ環境的に危険で、不利な天候状況の為にも理想的な防水性であるべきである。多目的なロック装置において、後方キャップ部にフラッシュライトを使用することはそれらの利用者にとって有利であろう。
【０００４】
ロック装置において後方キャップを創造することは有利なことである。フラッシュライトを後方キャップに安全かつ密閉状態にするだけでなる、フラッシュライトかつ／またはそのさまざまな照明ボードを起動させるか、停止させるかという変換を可能もしくは不可能にするロック装置における後方キャップを創造することは有利である。抑制された位置では、フラッシュライトは不注意に作動されることを防止します。そして、軍隊または法施工の目的のために、たとえば光が戦術的なフラッシュライトとして使われる時、それはとりわけ（ａ）電池電力の節約と（ｂ）使用者の位置の偶発的な発覚の防止という有利な結果になる。
【０００５】
加えて、多目的のロック装置において後方キャップを装備することは有利である。つまりそれは迅速なバッテリー交換を考慮入れている。また、後方キャップが差し込まれた後に、スイッチと接触ピンが正しい位置に戻ることを確実にする。適当な位置決めに付保して、急速バッテリー交換機能と共に、緊急かつ非緊急状況での照明装置に希望されるフラッシュライトの信頼性を造る。
【０００６】
また、フラッシュライトが手元でもたれている間、不用意な起動を防止するために、後方キャップの後方壁に接してスイッチ設置することは有利である。
【０００７】
さらに、フラッシュライトが警備員が携帯する、例えば拳銃のようなピストルに実装される時でさえ、スイッチに両手利きのスイッチと記載することにより、フラッシュライトのスイッチは、右利きのユーザーでも左利きのユーザーでも起動できる。最的に、フラッシュライトを防水性にするために、磁気スイッチとＯリングガスケットの組み合わせを使うことは有利である。
【発明の開示】
【課題を解決するための手段】
【０００８】
（要旨）
ここに明らかにされる現在の概念と一致して、携帯用の照明装置用の後方キャップが提供される。後方キャップは、外面におて端壁を有するキャップを含む。大幅な円筒形の側壁が含まれ、また端壁から縁の円筒形側壁へと拡大される。実質的な循環プラグは、大幅な円筒形側壁の内径よりも小さな外径である。止め装置は、円筒形側壁の内面に隣接して、循環栓の範囲内に設置される。フラッシュライトの主軸と平衡で円筒形側壁と極めて接近した循環プラグの空洞内に設置されたバネ要素から成り立つ。そのようなバネ要素は、主筐体と主筐体のつまみ部分にある一致するＶ字型の切込みの方に、循環栓の前側を越えて広がる。複数の格納式電気接続プラグは、循環栓の外径にそって設置されている。その後方プラグは、磁気スイッチの要素、レバーや軸、磁石のセット、シールドとリードスイッチと言った空洞が特色である。
【０００９】
さらに公表されるのが、携帯用照明装置である。携帯用の照明装置は、先頭部分の範囲に含まれる一つ以上の光源によって生じる光を発するのに適している先頭部分を含む。細長い実質的な円筒形の筐体は、結合され、先頭部分からハウジングの後部にまで及ぶ。その筐体は、円筒形筐体内にある筐体の内区画内に存在する、少なくとも一つのバッテリーを受けるのに適している。そして、円筒形の筐体の後方部から操作される。縁取っている実質的な円筒形のリングは、円筒形の筐体後部から、縁まで広がる。円筒形リングは、、実質的な円筒形筐体の直径よりも小さな外形を有する。斜角をつけられた突起の大多数は、表面上円筒形リングと言われる部分から延びていて、後方キャップ部を受けるのに適している円筒形のリングのまわりに置かれる。
【００１０】
追加的に公表されるのが、先頭部分の範囲内に含まれる一つ以上の光源から光を発するのに適している先頭部分を有する携帯用の照明装置である。細長い実質的な円筒形の筐体は、結合され、先頭部分から筐体の後部まで及ぶ。実質的な円筒形のリングは、円筒形の筐体後部から、円筒形のリングの縁まで広がる。円筒形のリングは、実質的な円筒形の筐体の直径より小さい外径を有する。斜角をつけられた突起の大多数は、円筒形のリングのまわりに設置され、表面上円筒形のリングから延びている。携帯用の照明装置は、外面を含む端壁を有する取り外し可能な後方キャップを含む、つまりそれは端壁から側壁の縁まで及んでいる実質的な円筒形の側壁である。実施的な円形の循環プラグ、は円筒形の側壁の中に置かれて、端壁の内面から、円筒形の側壁の縁まで延びる。実質的な循環プラグは、実質的な円筒形の側壁の内径より小さい外径を有する。リングは周りへと広がり、円筒形の側壁の内面と接触しており、縁に隣接している。このリングはリングのまわりの所定位置で複数のスロットを含んでおり、斜角をつけられた突起の大多数を受けるのに適している。
【００１１】
現在の主題のさらなる長所と見解は、現在の主題を実践する為に意図される最高モードの例証として、単に現在の主題の具体化が示されて、記述される以下の詳細な説明から、この分野の技術者にとってはすぐに明らかになるだろう。以下に記して、現在の主題は他で違う具体例になりえる。そしてそれは、現在の主題の精神から逸脱することなく。したがって、図面と説明は、自然で実例となって、制限的でないと考えられていることになっている。したがって、図面と説明は、自然な実例であり、制限的ではないとみなされているということである。
【発明を実施するための最良の形態】
【００１２】
以下の本発明の主題の実施形態の詳細な説明は、添付の図面との関係において読まれたときに最良に理解され得る。添付の図面においては、種々の特徴は必ずしも計測する（scale）ために描かれたわけではないが、むしろ核心に関連する特徴を最良に図示し、ここでは同様の参照符号は同様の特徴を指定するために全体に亘って使用される。
【００１３】
（詳細な説明）
以下の詳細な説明において、関連する教示の完全な理解を与えるために、多数の具体的な詳細が例として述べられる。しかしながら、本明細書の教示がそのような詳細なしに実行され得ることは、当業者には自明であるはずである。本明細書の教示の局面を不必要に覆い隠すことを避けるために、他の例において、周知の方法、手順、構成要素及び回路構成が詳細なしに比較的高い水準において説明された。
【００１４】
図面に注意を向けて、図１に示されるように、本発明のフラッシュライト１０は本体又は筐体２０とヘッド部分４０を備えており、本体又は筐体２０は後部蓋５０と共に握り又はハンドル部分としても働き得る。本発明の概念の重要な特徴を不必要に覆い隠さないために、本体２０及びヘッド部分４０については種々の形状及び設計が想定され、図１に示される例に限定されない。
【００１５】
主筐体又は本体２０は、ヘッド部分４０に格納された光源に電力を供給するための接点を有する（図１９に示されるような）電池７０又は複数の電池を受け取るための（図２に示されるような）伸長された実質的に円筒型の区画３１を備えている。本発明の好適な実施形態において、主筐体２０の内径より小さい外径を有する円筒型の形状の細いスリーブ３２が、主筐体２０の内部に挿入される。可撓性のプリント回路基板３３は、円筒型スリーブ３２の外側の壁上の合わせ凹み内に挿入される。可撓性のプリント回路基板は、接着剤又は他の接着手段により所定の位置に保持され、又は円筒型スリーブ３２と主筐体２０の内部の壁との間に単に押し込まれ得る。スリーブ３２の外側の壁上の爪（tab）３４は、筐体２０の内部のスリーブ３２の回転を防ぐために主筐体２０の内側の壁上の溝３５と一致し、これにより可撓性のプリント回路基板３３上に位置する接触板５９の適切な位置付けを確実にする。
【００１６】
発光ヘッド部分４０は、フラッシュライト１０の発光性のヘッドを形成する。発光ヘッド部分４０は、不透明な環４２により囲まれた透明ウィンドウ４１を備えている。透明ウィンドウ４１は透明なガラス又はプラスチックレンズを備えており、前記ガラス又はプラスチックレンズは、外側の環境への露出を防ぎ、発光ヘッド４０又は主筐体２０内に浸透する水又は他の汚染物質のリスクを減少させるために、封止リング（不図示）を介して不透明な環４２の前方端に取り付けられている。レンズアセンブリはまた、中空でないコリメータによっても置き換えられ得る。発光ヘッド部分４０内には、一以上の従来の光源４３と、光源を搭載するための基礎支持部材（不図示）と、オプションである光源４３から照射された光を反射する主要な光のための反射手段（不図示）が、一般に所定の方向に沿ってその反射面により囲まれている。一以上の光源４３は、発光ダイオード（ＬＥＤ）、レーザー、白熱光源、電球又は他の電気的に駆動される光源であり得る。本実施形態において、所定の方向は透明ウィンドウ４１に向かっている（方向矢印Ａ）。後部蓋５０は、フラッシュライトのスイッチを入れたり切ったりし、かつ／又は発光モード（すなわち、低又は高強度、連続、点滅、ストロボ、間欠等）を選択するための一以上のスイッチ６２を含む。本発明の別の革新的局面は、図１３、１４及び１５上に示された、後部蓋５０の後方壁の外側の面上に横方向に設置されたスイッチバー６３の使用である。図１４及び１５上に示されるように、スイッチバー６３は一組のレバー６４ｂにより一組の磁石６４ｇに機械的に連結されており、一組の磁石６４ｇは後部プラグ５４の空洞の内側に位置する。複数の磁石６４ａ及び６４ｇが位置する前記空洞６４ｃは、壁６４ｄによって閉鎖されている。前記壁６４ｄの対向する側面上の分離した空洞内に位置するリードスイッチ６４ｅは、第一の磁石のセット６４ａの移動から結果として生じる磁界の変化により活性化される。第一の磁石のセット６４ａの移動を引き起こすために、操作者は前記スイッチバーを押圧する。後部蓋５０の後方壁を通じてスイッチバー６３に対して垂直に伸びる堅固なアーム６３ａは、二つのレバー６４ｂのうちのいずれか一つを押し、レバー６４ｂは軸６４ｈにより所定の位置に保持されて、後部プラグ５４の周辺に最も近いレバー６４ｂの終端に位置するポイントの軸６４ｈの周りを回転する。レバー６４ｂに対する圧力は、第一の磁石のセット６４ａがリードスイッチ６４ｅに向かって移動することを引き起こす。第一の磁石のセット６４ａがリードスイッチ６４ｅの十分な近傍内に来るとき、リードスイッチ６４ｅは始動させられる。スイッチバー６３に対する圧力が操作者によって解放されるとき、第二の磁石のセット６４ｇは、第一の磁石のセット６４ａがその元の位置に戻ることを磁気的に引き起こす。複数の磁石６４ａ及び６４ｇ、リードスイッチ６４ｅ並びに「Ｏ字型」リングガスケット５５を含む空洞６４ｃの間の壁６４ｄの存在は、防水シールを提供することにより、リードスイッチ６４ｅとフラッシュライト１０の他の電気的構成要素を水又は他の汚染物質から絶縁する。スイッチバー６３は、二重プッシュボタンスイッチ又は単一のプッシュボタンスイッチにより置き換えられ得る。レバーのセット６４ｂは、スイッチバー６３の代わりに単一のプッシュボタンスイッチが使用されるときに、単一のレバーにより置き換えられ得る。図５に示されるように、後部蓋５０は、主筐体２０からの取り外し又は主筐体２０への付加の間における、使用者による改善された後部蓋５０の握りを可能にするために、突起５０ａ及び溝５０ｂを有する外縁を備えている。別の実施形態においては、後部蓋５０は、後部蓋５０の外縁に固定されたゴム又はゴム状の握り補助を有する実質的に平滑な外縁を備えている。前記握り補助は、後部蓋の外縁の周りに連続的に伸び得て、外見においては平滑であり、エンボス加工され又は溝を有し得る。
【００１７】
図２は、主筐体２０から分離された後部蓋５０を有するフラッシュライト１０の主筐体２０の背面図である。オス部分５１は、主筐体２０の後方から外側に向かって伸びる円形又はリング形状として形成され、オス部分５１の周辺の周りに位置する面取りをされた突起５１ａ、５１ｂ及び５１ｃを含む。後部蓋５０と主筐体２０が適切に整列されたとき、面取りをされた突起５１ａ、５１ｂ及び５１ｃは後部蓋５０に形成された対応するメススロットと係合する。図２には、電池７０（図１８に示される）を受け入れるための円筒形区画３１もまた示される。図３は、図２に示されるフラッシュライト１０の主筐体２０の別の斜視側面図である。図３は、円筒形区画３１の内部壁に固定された可撓性のプリント回路基板３３をも示す。図４は、図３に示されたフラッシュライト１０の主筐体２０の後方部分の側面図である。オス部分５１は、後部蓋５０を収容するための主筐体２０の全体の外周より小さい直径を有する。
【００１８】
後部蓋５０をより具体的に見ると、図５への参照が行われ、図５は後部蓋５０の内部図を描写する。後部蓋５０は、後部蓋５０が主筐体２０と共に組み立てられるときに、円筒形区画３１内に位置する電池７０の電極と接触するように設計されているバネ要素７１を含む。バネ要素７１は、後部蓋５０の中心から外側に向かって伸びる円筒形後部プラグ５４上に位置する。同心「Ｏ字型」リングガスケット５５もまた、後部蓋５０内に存在する。後部蓋５０と主筐体２０が係合されるとき、同心「Ｏ字型」リングガスケット５５は水及び他の汚染物質が、電気回路構成（すなわち可撓性回路基板３３）を包含する円筒形区画３１と、円筒形区画３１内に存在する一以上の電池７０に到達することを防ぐためのシールとして作用する。
【００１９】
図５はまた、後部蓋５０から外側に向かって伸びる後部プラグ５４を、これらの間に位置する同心「Ｏ字型」リングガスケット５５と共に示す。主筐体２０の後方壁から外側に向かって伸びるピン８０は、後部蓋５０の過回転を防ぐための強力な止め具（hard stop）として作用するように意図されている。
【００２０】
後部蓋５０は、オス部分（差し込み）とメス部分（差し込みリング）を含む差し込み搭載部を手段として主筐体２０上に搭載されている。後部蓋５０と主筐体２０が適切に整列されているとき、共に差し込み搭載部のオス部分を形成する面取りをされた突起５１ａ、５１ｂ及び５１ｃとオス部分５１は、後部蓋５０の差し込みリング５２上に位置するスロット５２ａ、５２ｂ及び５２ｃと係合する。本実施形態においては、差し込みリング５２上に位置する突起スロット５２ａ、５２ｂ及び５２ｃは、共に差し込み搭載部のメス部分を構成する。係合後、後部蓋５０が主筐体２０に対して回転されたとき、差し込み搭載部の面取りをされた突起５１ａ、５１ｂ及び５１ｃは、後部蓋５０が主筐体２０に対して押し込まれた状態になることを引き起こし、逆もまた同様である。回転の方向は後部蓋５０を取り付けるためには時計回りであり得て、後部蓋５０を取り外すためには反時計回りであり得る。代替的には、回転の方向は後部蓋５０を取り付けるためには反時計回りであり得て、後部蓋５０を取り外すためには時計回りであり得る。
【００２１】
後部蓋５０の回転中における、フラッシュライト１０の主筐体２０と後部蓋５０の相互作用をより具体的に見て、今度は図６〜９への参照がなされる。
【００２２】
図６に注意を向けて、後部蓋５０の使用者によるフラッシュライト１０の軸の周りの所定量の回転の後に、後部蓋５０にしっかりと固定された戻り止め機構５６は、平坦なバネ又はバネ荷重ボールベアリング５６ａを含み、オス部分５１の面取りをされた突起５１ａ上に位置する二つの溝５７ａ，５７ｂのうちの一つを係合する。別の実施形態において、溝５７ａ，５７ｂは、両方の溝が同一の面取りをされた突起内に形成される限り、面取りをされた突起５１ａよりむしろ面取りをされた突起５１ｂ又は５１ｃ上に位置し得る。
【００２３】
ボールベアリング５６ａ又は平坦なバネが溝５７ａに係合されたときに平坦なバネ又はバネ荷重ボールベアリング５６ａによって引き起こされる回転抵抗は、後部蓋５０をフラッシュライト１０の主筐体２０上に固定するのに十分であり、後部蓋５０が適切に係合されたとの触知可能及び／又は可聴のフィードバックを使用者に与える。第一の溝付き部分５７ａにおいて、フラッシュライトスイッチ６２はオフ位置において無効にされている（disabled）。図６に示されるように、後部蓋５０の連続した回転は、平坦なバネ又はバネ荷重ボールベアリング５６ａから構成される戻り止め機構が第一の溝（無効スイッチ位置）５７ａから第二の溝（有効スイッチ位置）５７ｂに移動することを引き起こす。後部蓋５０の内部の、後部蓋プラグ５４に位置するピン８０又は同様のものを含む強力な止め具は、後部蓋５０の過回転と係合解除を防ぐ。
【００２４】
第二の溝５７ｂにおいて、スイッチ６２は、後部蓋５０上に位置するバネ荷重接触ピン５８の、可撓性プリント回路基板３３内に位置する固定接触板５９との整列を通して有効にされる（enabled）。バネ荷重接触ピン５８の固定接触板５９との整列は、図７に示される。対照的に、バネ荷重接触ピン５８が固定接触板５９と一直線にないときにはいつでも、スイッチは有効にされない。ある実施形態においては、第一の溝付き位置５７ａは有効位置であり得て、第二の溝付き位置５７ｂは無効位置であり得る。接触ピン及び対応する接触板の数は、数において変化し得て、図面に示されたものに限定されない。また、接触板５９は筐体２０上又は筐体２０内のプリント回路基板３３上に直接位置し得る。
【００２５】
さらに他の実施形態において、後部蓋５０の後方面は、図１３〜１４に示される両利きスイッチ６２を特徴とする。ある実施形態においては、両利きスイッチは、後部蓋５０の対向する側面上に搭載されて並行して作用する、二つの分離したバネ荷重押しボタンスイッチ６２ａ，６２ｂを含み、このことはいずれかのスイッチがフラッシュライト１０を作動若しくは停止させるために、又は数個の照明モードのうちの一つを作動させるために交互に使用されることを可能にする。他の実施形態においては、後部蓋５０の後方壁の外側の面上に横方向に搭載されたスイッチバー６３又は単一の押しボタンは、一以上のレバー６４ｂによって、後部プラグ５４の空洞６４ｃ及び６４ｆ内に包含される磁気スイッチ６４の一部を形成する一以上の磁石６４ａに機械的に結合されている。両利きスイッチ６２は、多数モード起動のために、予めプログラムされた電子回路に選択的に結合されている。照明モードは、低強度、高強度、又は多数の中間強度、連続、間欠、点滅、振動及びストロボモードのうちの一つ又は数個を含み得る。
【００２６】
さらに別の実施形態において、後部蓋５０は、後部蓋５０の後方面上の中心又は非中心に位置する単一のスイッチを備えている。そのため、後部蓋５０の後方面上に位置するスイッチの数は、フラッシュライト１０を作動若しくは停止させるために、又は数個の照明モードのうちの一つを作動させるために交互に使用される複数のスイッチ又は一つのスイッチに限定され得る。
【００２７】
本発明の主題の一つの重要な特徴は、後部蓋５０の差し込み搭載ロック機構が、非常に迅速な電池交換を可能にするという事実にあり、後部蓋５０が再挿入された後、スイッチ６２と接触ピン５８が意図された位置に戻ることを確実にする。
【００２８】
さらにその上、後部蓋５０のロック機構も、二重の目的を果たしている。前記ロック機構は、フラッシュライト１０上に後部蓋５０を固定するだけでなく、フラッシュライト１０及び／又はその種々の照明モードを起動又は停止させるスイッチ６２を有効又は無効にする。無効位置はフラッシュライト１０が不注意に作動するのを防ぎ、このことは、例えば光が軍事的又は法的執行目的のための戦術的フラッシュライトとして使用されるとき、とりわけ（ａ）電池電力の節約と、（ｂ）使用者の位置の偶発的な発覚の防止という結果をもたらす。
【００２９】
フラッシュライトが拳銃のような分離した装置に搭載された場合においてさえ、後部蓋に搭載される両利きのスイッチの使用はフラッシュライトがいずれかの手により、フラッシュライトのいずれかの側面から作動又は停止させられることを可能にする。以下の状況において、短い長さの銃身は、拳銃の銃身の下部にフラッシュライトを取り付けるための極めて小さい空間しか提供しない。さらに、用心金とフラッシュライトの後面の間には指でスイッチを作動させるための十分な空間が存在しないため、用心金の存在は、典型的にはフラッシュライトの後面上において中央に位置する単一の押しボタン式スイッチの使用を妨げる。両利きのスイッチ６２がどちらの側からでも作動させられるという事実と、それが外部に存在するのかもしくは用心金の突起を越えて横方向に伸びるのという事実が、用心金の支障を取り除く。さらに、後部蓋の後面にスイッチ位置を保つことによって、手の接触又は異物との接触によって偶然に作動されるスイッチの危険性は最小化される。
【００３０】
第一の溝付きの位置５７ａにおいては、バネ荷重接触ピン５８が接触板５９と整列されないため、フラッシュライトスイッチ６２は無効にされる。図１６は、前述したロックアウト位置の別の斜視図であり、ここでは戻り止め機構５６と後部蓋５０のバネ荷重接触ピン５８だけが見える。
【００３１】
図１４に示されるように、後方キャップの継続的な右回転は、平坦なバネ又はバネ荷重ボールベアリング５６ａが第二の溝５７ｂ内に位置する結果と、バネ荷重接触ピン５８は接触板５９と整列される結果をもたらし、これによりスイッチを有効にしてフラッシュライトを動作可能にする。図８はこの動作可能位置の別の斜視図であり、ここでは戻り止め機構５６と、後部蓋５０のバネ荷重接触ピン５８が見える。図９は、フラッシュライト１０の後方の部分断面図である。バネ要素７１は電池７０と接触しており、バネ荷重接触ピン５８は接触板５９と整列され、バネ又はバネ荷重ボールベアリング５６ａは、第二の溝５７ｂ内に位置する。
【００３２】
図１０は、電池スリーブ３２と、可撓性ＰＣＢ３３と、可撓性ＰＣＢ３３上に位置する接触板５９を図示するフラッシュライトの断面図である。
【００３３】
図１１は、バネ荷重接触ピン５８、接触板５９、スリーブ３２及び可撓性ＰＣＢ３３の相互関係を示す後部蓋５０と主筐体２０のインターフェースの後方断面図である。
【００３４】
図１２は、筐体２０に挿入されたときの、スリーブ２／ＰＣＢ３３組み立て品の回転を防止するために使用されるツメ３４を図示するスリーブ３２と、プリント回路基板３３の斜視図である。
【００３５】
図１４は、両利きの使用を可能にするスイッチバー６３を示す後部蓋５０の後方斜視図である。
【００３６】
図１４及び図１５は、後部蓋５０とその中に含まれる後部プラグ５４の断面図を示す。図１４はスイッチバー６３が押されたときのレバー６４ｂと第一の磁石のセット６４ａの位置を示し、一方で図１５はスイッチレバー上の操作者からの圧力が解放されたときのそれらの各位置を示す。
【００３７】
前述が、何が最良の方法とみなされているかということ及び／又は他の例えを述べている間、さまざまな修正がその中で起こるかも知れないということや、発表された主題がさまざまな形態や例で実践されるかもしれないという事や、その内容が多数のアプリケーションにおいて適応されるかもしれないという事が、ここに示されるもののいくつかだけでも理解される。それは本発明の内容の正確な範囲の中に含まれる、いくつかそして全てのアプリケーションと修正と変化を主張するために、以下のクレームにより示される。
【００３８】
前の説明では、多数の特定の詳細は、特定の材料、構造、過程、その他のような、本発明の主題のより良い理解を提供するために述べられる。しかし、本発明の主題は、特にここに述べられる詳細に頼ることなく習得できる。他の事例においては、有名な処理技術と構造は、本発明の主題を必要以上に不明瞭にしないために、記述されなかった。
【００３９】
本発明の主題の望ましい実施例だけでなく、その多様性のいくつかの例が示され、本発明の発表の中に記述されている。本発明の主題が、さまざまな他の組み合わせと環境で利用可能であり、ここに示されるように発明の概念の範囲内において、変化及び／又は修正を許すのは理解されるためである。
【図面の簡単な説明】
【００４０】
【図１】フラッシュライトの例示的な側方斜視図を示す。
【図２】図１に示されたフラッシュライトの主筐体の後部蓋なしの背面図である。
【図３】図１のフラッシュライトの主筐体の後方部分の斜視的側面図を示す。
【図４】図１のフラッシュライトの主筐体の後方部分の側面図を示す。
【図５】図１のフラッシュライトの後部蓋の内部斜視図である。
【図６】戻り止め機構を特徴とする、フラッシュライトの主筐体の後方に位置する差し込み突起（lug）の拡大斜視図を示す。
【図７】図２の主筐体の後端の拡大内部背面図である。
【図８】フラッシュライトの動作モードにおける戻り止め機構及び接触ピンの位置を示す図２の主筐体の後方斜視図である。
【図９】フラッシュライトの後端の部分断面図である。
【図１０】主軸に平行なフラッシュライトの主筐体の断面図である。これは、主筐体と、電池スリーブと、可撓性プリント回路基板の間の相互関係を示す。
【図１１】主軸に垂直なフラッシュライトの主筐体と後部蓋のインターフェースの断面図である。
【図１２】スリーブプリント（sleeve-printed）回路基板アセンブリの斜視図である。
【図１３】両利きの（ambidextrous）スイッチバーを特徴とする後部蓋の後方斜視図である。
【図１４】スイッチバーが「解放」位置にある磁気スイッチの構成部品を示す、後部プラグの断面図である。
【図１５】スイッチバーが「押圧」位置にある磁気スイッチの構成部品を示す、後部プラグの断面図である。
【図１】
2009535771.tif 000003
【図２】
2009535771.tif 000004
【図３】
2009535771.tif 000005
【図４】
2009535771.tif 000006
【図５】
2009535771.tif 000007
【図６】
2009535771.tif 000008
【図７】
2009535771.tif 000009
【図８】
2009535771.tif 000010
【図９】
2009535771.tif 000011
【図１０】
2009535771.tif 000012
【図１１】
2009535771.tif 000013
【図１２】
2009535771.tif 000014
【図１３】
2009535771.tif 000015
【図１４】
2009535771.tif 000016
【図１５】
2009535771.tif 000017
【国際調査報告】
2009535771.tif 000018
2009535771.tif 000019
2009535771.tif 000020